【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
トナー像を担持する像担持体と、
転写バイアスが印加され、前記像担持体に担持されたトナー像を記録材に転写する転写手段と、
前記転写手段に前記転写バイアスを印加するバイアス印加手段と、
前記転写手段に流れる電流を検出可能な電流検出手段と、
前記転写手段に流れる前記電流が所定値を超えた場合に、前記転写手段に印加する転写バイアスを強制的に停止する停止動作を行う保護回路と、
非画像形成時に前記転写手段に印加した異なる複数のテストバイアスと、該複数のテストバイアスを印加した際に前記電流検出手段で検出した複数の電流と、に基づいて前記転写バイアスを制御する制御部と、
前記転写バイアスを変更するための目標値を入力可能な操作部と、
前記転写バイアスの設定範囲を表示する表示部と、を備え、
前記制御部は、前記転写手段に印加した異なる複数のテストバイアスと、該複数のテストバイアスを印加した際に前記電流検出手段で検出した複数の電流と、前記保護回路による前記停止動作が作動する電流と電圧の関係に対応して予め設定された電流と電圧の関係と、に基づいて、前記転写手段に印加可能な上限電圧を取得し、前記上限電圧の変化に基づいて、前記表示部に表示される前記転写バイアスの設定範囲を変更する、
ことを特徴とする画像形成装置。
【請求項２】
前記制御部は、前記転写手段に印加した異なる前記複数のテストバイアスと、該複数のテストバイアスを印加した際に前記電流検出手段で検出した前記複数の電流と、に基づいて、前記転写手段に所定の電流を流すための基準電圧を設定し、前記基準電圧と、トナー像が転写される記録材の種類に対応して定められた所定の分担電圧と、に基づいて、前記転写バイアスを設定する、
ことを特徴とする請求項１に記載の画像形成装置。
【請求項３】
前記制御部は、前記転写バイアスの設定範囲が前記上限電圧を超えないように、前記表示部に表示される前記転写バイアスの設定範囲を変更する、
ことを特徴とする請求項１または２に記載の画像形成装置。
【請求項４】
トナー像を担持する像担持体と、
転写バイアスが印加され、前記像担持体に担持されたトナー像を記録材に転写する転写手段と、
前記転写手段に前記転写バイアスを印加するバイアス印加手段と、
前記転写手段に流れる電流を検出可能な電流検出手段と、
非画像形成時に前記転写手段に印加したテストバイアスと、前記テストバイアスを前記転写手段に印加した際に前記電流検出手段で検出したテスト電流と、に基づいて前記転写バイアスを制御する制御部と、
前記転写バイアスを変更するための目標値を入力可能な操作部と、を備え、
前記制御部は、前記テストバイアス及び前記テスト電流に基づいて得られた上限電圧に基づいて、前記操作部により変更可能な前記転写バイアスの設定範囲の上限値を変更する、
ことを特徴とする画像形成装置。
【請求項５】
トナー像を担持する像担持体と、
転写バイアスが印加され、前記像担持体に担持されたトナー像を記録材に転写する転写手段と、
前記転写手段に前記転写バイアスを印加するバイアス印加手段と、
前記転写手段に流れる電流を検出可能な電流検出手段と、
非画像形成時に前記転写手段に印加したテストバイアスと、前記テストバイアスを前記転写手段に印加した際に前記電流検出手段で検出したテスト電流と、に基づいて前記転写バイアスを制御する制御部と、
前記転写バイアスを変更するための目標値を入力可能な操作部と、を備え、
前記操作部は、前記転写バイアスを増加可能な設定範囲を表示する表示部を備え、前記表示部に表示された前記設定範囲内で前記転写バイアスを増加可能であり、
前記制御部は、前記テストバイアス及び前記テスト電流に基づいて得られた上限電圧に基づいて、前記表示部に表示されて、前記転写バイアスを増加可能な設定範囲を変更可能である、
ことを特徴とする画像形成装置。
【請求項６】
前記制御部は、前記上限電圧を、前記テストバイアスと、前記テスト電流と、所定の上限電流と、に基づいて取得する、
ことを特徴とする請求項４または５に記載の画像形成装置。
【請求項７】
前記制御部は、前記所定の上限電流を、前記転写手段に印加する電圧に応じて予め設定する、
ことを特徴とする請求項６に記載の画像形成装置。
【請求項８】
前記制御部は、画像形成ジョブの開始に伴って前記転写手段に前記テストバイアスが印加されるように、前記バイアス印加手段を制御し、最後のテストバイアスと、最後の電流と、前記所定の上限電流と、に基づいて、前記上限電圧を取得する、
ことを特徴とする請求項６または７に記載の画像形成装置。
【請求項９】
前記制御部は、前記テストバイアスと、前記テスト電流と、予め定められた電流と電圧との関係式と、に基づいて、前記上限電圧を取得する、
ことを特徴とする請求項４乃至８のいずれか１項に記載の画像形成装置。
【請求項１０】
前記制御部は、前記非画像形成時において、異なる複数のテストバイアスが前記転写手段に印加されるように、前記バイアス印加手段を制御し、異なる前記複数のテストバイアスと、異なる前記複数のテストバイアスが前記転写手段に印加されたときに前記電流検出手段により検出される複数のテスト電流と、所定の上限電流と、に基づいて、前記上限電圧を取得する、
ことを特徴とする請求項４乃至９のいずれか１項に記載の画像形成装置。
【請求項１１】
前記制御部は、前記操作部により入力された前記目標値に対応した入力電圧が前記上限電圧を超える場合は、前記転写バイアスを前記上限電圧として設定し、前記入力電圧が前記上限電圧を超えない場合は、前記転写バイアスを前記入力電圧として設定する、
ことを特徴とする請求項４乃至１０のいずれか１項に記載の画像形成装置。
【手続補正２】
【補正対象書類名】明細書
【補正対象項目名】００１０
【補正方法】変更
【補正の内容】
【００１０】
本発明の画像形成装置は、トナー像を担持する像担持体と、転写バイアスが印加され、前記像担持体に担持されたトナー像を記録材に転写する転写手段と、前記転写手段に前記転写バイアスを印加するバイアス印加手段と、前記転写手段に流れる電流を検出可能な電流検出手段と、前記転写手段に流れる前記電流が所定値を超えた場合に、前記転写手段に印加する転写バイアスを強制的に停止する停止動作を行う保護回路と、非画像形成時に前記転写手段に印加した異なる複数のテストバイアスと、該複数のテストバイアスを印加した際に前記電流検出手段で検出した複数の電流と、に基づいて前記転写バイアスを制御する制御部と、前記転写バイアスを変更するための目標値を入力可能な操作部と、前記転写バイアスの設定範囲を表示する表示部と、を備え、前記制御部は、前記転写手段に印加した異なる複数のテストバイアスと、該複数のテストバイアスを印加した際に前記電流検出手段で検出した複数の電流と、前記保護回路による前記停止動作が作動する電流と電圧の関係に対応して予め設定された電流と電圧の関係と、に基づいて、前記転写手段に印加可能な上限電圧を取得し、前記上限電圧の変化に基づいて、前記表示部に表示される前記転写バイアスの設定範囲を変更することを特徴とする。
【手続補正３】
【補正対象書類名】明細書
【補正対象項目名】００１１
【補正方法】変更
【補正の内容】
【００１１】
また、本発明の画像形成装置は、トナー像を担持する像担持体と、転写バイアスが印加され、前記像担持体に担持されたトナー像を記録材に転写する転写手段と、前記転写手段に前記転写バイアスを印加するバイアス印加手段と、前記転写手段に流れる電流を検出可能な電流検出手段と、非画像形成時に前記転写手段に印加したテストバイアスと、前記テストバイアスを前記転写手段に印加した際に前記電流検出手段で検出したテスト電流と、に基づいて前記転写バイアスを制御する制御部と、前記転写バイアスを変更するための目標値を入力可能な操作部と、を備え、前記制御部は、前記テストバイアス及び前記テスト電流に基づいて得られた上限電圧に基づいて、前記操作部により変更可能な前記転写バイアスの設定範囲の上限値を変更することを特徴とする。
更に、本発明の画像形成装置は、トナー像を担持する像担持体と、転写バイアスが印加され、前記像担持体に担持されたトナー像を記録材に転写する転写手段と、前記転写手段に前記転写バイアスを印加するバイアス印加手段と、前記転写手段に流れる電流を検出可能な電流検出手段と、非画像形成時に前記転写手段に印加したテストバイアスと、前記テストバイアスを前記転写手段に印加した際に前記電流検出手段で検出したテスト電流と、に基づいて前記転写バイアスを制御する制御部と、前記転写バイアスを変更するための目標値を入力可能な操作部と、を備え、前記操作部は、前記転写バイアスを増加可能な設定範囲を表示する表示部を備え、前記表示部に表示された前記設定範囲内で前記転写バイアスを増加可能であり、前記制御部は、前記テストバイアス及び前記テスト電流に基づいて得られた上限電圧に基づいて、前記表示部に表示されて、前記転写バイアスを増加可能な設定範囲を変更可能であることを特徴とする。